(57)【要約】【課題】書換え可能な光ディスクにおいて管理用情報の記録される固定アドレスが読み込み不能となった場合に復旧動作を可能にする。【解決手段】１つのＶＴＳを作成する毎に、パディングの処理を実行して、そのＶＴＳの後ろに新たなＴＭＰ＿ＶＭＧＩ及び続くタイトルのＶＴＳＩ、ＶＴＳＭ　ＶＯＢＳの記録エリアの確保するようにして、１つのＶＴＳを作成する毎に、そのＶＴＳの後ろに新たなＴＭＰ＿ＶＭＧＩを記録することによって、ＶＴＳの数に加えた箇所にＴＭＰ＿ＶＭＧＩを記録する。これにより、最内周側のＴＭＰ＿ＶＭＧＩの記録エリアにメディアの書換え強度を超えてしまう更新により管理用情報が読み込み不可能になっても、他の記録エリアに記録されているＴＭＰ＿ＶＭＧＩから管理用情報を読み込み込むことができ、ファイナライズの処理を実行することができる。【選択図】　　　　図１
2004013967.tif 000002
【特許請求の範囲】
【請求項１】
再生されるべき記録情報及び当該記録情報を管理するための管理用情報を含むファイルと、一又は複数の上記ファイルを管理するためのファイル管理用情報とを少なくとも含んで構成されている再生専用記録媒体用の記録フォーマットに準拠しつつ、記録に供するファイルと上記ファイルの管理用情報とを組にして書換え可能な光ディスクのユーザーエリアに記録する光ディスク記録方法であって、
上記ユーザーエリアに記録されたファイルを管理するための仮管理用情報、上記再生専用記録媒体用の記録フォーマットに準拠した管理用情報及び記録に供するファイルの記録情報を管理するための管理用情報の記録エリアを確保し、
上記記録エリアにファイルを管理するための仮管理用情報を記録して、上記記録エリアに続けて記録に供するファイルの記録情報を記録し、
上記ファイルの記録情報を管理するための管理用情報を上記記録エリアに記録することにより上記ファイルを閉じ、上記ファイルを管理するための仮管理用情報及び次の記録に供するファイルの記録情報を管理するための管理用情報の記録エリアを確保して、上記記録エリアにファイルを管理するための仮管理用情報を記録するとともに、先に記録済みの仮管理用情報を最新の仮管理用情報に書き換え、
ファイルを記録する毎に、上記ファイルを管理するための仮管理用情報及び次の記録に供するファイルの記録情報を管理するための管理用情報の記録エリアを確保して、上記記録エリアにファイルを管理するための仮管理用情報を記録するとともに、少なくとも最内周側に記録されている仮管理用情報を更新することを特徴とする光ディスク記録方法。
【請求項２】
ファイルを記録する毎に、上記ファイルを管理するための仮管理用情報及び次の記録に供するファイルの記録情報を管理するための管理用情報の記録エリアを確保して、上記記録エリアにファイルを管理するための仮管理用情報を記録するとともに、先に記録済みの全ての仮管理用情報を更新することを特徴とする請求項１に記載の光ディスク記録方法。
【請求項３】
ファイルを記録する毎に、上記ファイルを管理するための仮管理用情報及び次の記録に供するファイルの記録情報を管理するための管理用情報の記録エリアを確保して、上記記録エリアにファイルを管理するための仮管理用情報を記録するとともに、最内周側に記録されている仮管理用情報のみを更新することを特徴とする請求項１に記載の光ディスク記録方法。
【請求項４】
ファイルを記録して閉じる際に、当該ファイルの記録情報を管理するための管理用情報を前のファイルを閉じる際に記録した仮管理用情報部分に上書きすることにより、最内周側の仮管理用情報と最外周側の仮管理用情報の２箇所で仮管理用情報を保存するようにしたことを特徴とする請求項１に記載の光ディスク記録方法。
【請求項５】
上記ファイル及び上記管理用情報の記録フォーマットは、上記ファイルがＤＶＤビデオフォーマットであり、上記光ディスクはＤＶＤ−ＲＷ（ＤＶＤ−Ｒｅｃｏｒｄａｂｌｅ）であり、上記ファイルは上記ＤＶＤビデオフォーマットにおけるＶＴＳ（Ｖｉｄｅｏ　Ｔｉｔｌｅ　Ｓｅｔ）であり、上記ファイルの記録情報を管理するための管理用情報は、上記ＤＶＤビデオフォーマットにおけるＶＭＧＩ（Ｖｉｄｅｏ　Ｍａｎａｇｅｒ　Ｉｎｆｏｒｍａｔｉｏｎ）であり、仮ＶＭＧＩ（ＴＭＰ＿ＶＭＧＩ）によりＤＶＤビデオファイルを管理して、ＲＯＷ（Ｒｅｓｔｒｉｃｔｅｄ　Ｏｖｅｒ　Ｗｒｉｔｅ）方式でＤＶＤビデオファイルを記録することを特徴とする請求項１に記載の光ディスク記録方法。
【請求項６】
再生されるべき記録情報及び当該記録情報を管理するための管理用情報を含むファイルと、一又は複数の上記ファイルを管理するためのファイル管理用情報とを少なくとも含んで構成されている再生専用記録媒体用の記録フォーマットに準拠しつつ、記録に供するファイルと上記ファイルの管理用情報とを組にして書換え可能な光ディスクのユーザーエリアに記録する光ディスク記録装置であって、
記録に供するファイルの管理用情報を生成する管理用情報生成手段と、
上記ファイルと、上記ファイルに対応する上記管理用情報とを組にして光ディスクのユーザーエリアに記録する記録手段と、
少なくとも上記管理用情報生成手段、上記記録手段の動作を制御する制御手段とを備え、
上記制御手段は、上記ユーザーエリアに記録されたファイルを管理するための仮管理用情報、上記再生専用記録媒体用の記録フォーマットに準拠した管理用情報及び記録に供するファイルの記録情報を管理するための管理用情報の記録エリアを確保し、上記記録エリアにファイルを管理するための仮管理用情報を記録して、上記記録エリアに続けて記録に供するファイルの記録情報を記録し、上記ファイルの記録情報を管理するための管理用情報を上記記録エリアに記録することにより上記ファイルを閉じ、上記ファイルを管理するための仮管理用情報及び次の記録に供するファイルの記録情報を管理するための管理用情報の記録エリアを確保して、上記記録エリアにファイルを管理するための仮管理用情報を記録するとともに、先に記録済みの仮管理用情報を最新の仮管理用情報に書き換え、ファイルを記録する毎に、上記ファイルを管理するための仮管理用情報及び次の記録に供するファイルの記録情報を管理するための管理用情報の記録エリアを確保して、上記記録エリアにファイルを管理するための仮管理用情報を記録するとともに、少なくとも最内周側に記録されている仮管理用情報を更新することを特徴とする光ディスク記録装置。
【請求項７】
上記制御手段は、ファイルを記録する毎に、上記ファイルを管理するための仮管理用情報及び次の記録に供するファイルの記録情報を管理するための管理用情報の記録エリアを確保して、上記記録エリアにファイルを管理するための仮管理用情報を記録するとともに、先に記録済みの全ての仮管理用情報を更新する制御を行うことを特徴とする請求項６に記載の光ディスク記録装置。
【請求項８】
上記制御手段は、ファイルを記録する毎に、上記ファイルを管理するための仮管理用情報及び次の記録に供するファイルの記録情報を管理するための管理用情報の記録エリアを確保して、上記記録エリアにファイルを管理するための仮管理用情報を記録するとともに、最内周側に記録されている仮管理用情報のみを更新する制御を行うことを特徴とする請求項６に記載の光ディスク記録装置。
【請求項９】
上記制御手段は、ファイルを記録して閉じる際に、当該ファイルの記録情報を管理するための管理用情報を前のファイルを閉じる際に記録した仮管理用情報部分に上書きすることにより、最内周側の仮管理用情報と最外周側の仮管理用情報の２箇所で仮管理用情報を保存する制御を行うようにしたことを特徴とする請求項６に記載の光ディスク記録装置。
【請求項１０】
上記ファイル及び上記管理用情報の記録フォーマットは、上記ファイルがＤＶＤビデオフォーマットであり、上記光ディスクはＤＶＤ−ＲＷ（ＤＶＤ−Ｒｅｃｏｒｄａｂｌｅ）であり、上記ファイルは上記ＤＶＤビデオフォーマットにおけるＶＴＳ（Ｖｉｄｅｏ　Ｔｉｔｌｅ　Ｓｅｔ）であり、上記ファイルの記録情報を管理するための管理用情報は、上記ＤＶＤビデオフォーマットにおけるＶＭＧＩ（Ｖｉｄｅｏ　ＭａｎａｇｅｒＩｎｆｏｒｍａｔｉｏｎ）であり、上記制御手段は、仮ＶＭＧＩ（ＴＭＰ＿ＶＭＧＩ）によりＤＶＤビデオファイルを管理して、ＲＯＷ（Ｒｅｓｔｒｉｃｔｅｄ　Ｏｖｅｒ　Ｗｒｉｔｅ）方式でＤＶＤビデオファイルを記録することを特徴とする請求項９に記載の光ディスク記録方法。
【請求項１１】
記録に供するファイルと、上記ファイルの管理用情報とを組にして光ディスクのユーザーエリアに記録する光ディスク記録装置に備えられ、記録に供するファイルの管理用情報を生成する管理用情報生成手段と、上記ファイルと、上記ファイルに対応する上記管理用情報とを組にして光ディスクのユーザーエリアに記録する記録手段の動作を制御する制御コンピュータを、上記ユーザーエリアに記録されたファイルを管理するための仮管理用情報、上記再生専用記録媒体用の記録フォーマットに準拠した管理用情報及び記録に供するファイルの記録情報を管理するための管理用情報の記録エリアを確保し、上記記録エリアにファイルを管理するための仮管理用情報を記録して、上記記録エリアに続けて記録に供するファイルの記録情報を記録し、上記ファイルの記録情報を管理するための管理用情報を上記記録エリアに記録することにより上記ファイルを閉じ、上記ファイルを管理するための仮管理用情報及び次の記録に供するファイルの記録情報を管理するための管理用情報の記録エリアを確保して、上記記録エリアにファイルを管理するための仮管理用情報を記録するとともに、先に記録済みの仮管理用情報を最新の仮管理用情報に書き換え、ファイルを記録する毎に、上記ファイルを管理するための仮管理用情報及び次の記録に供するファイルの記録情報を管理するための管理用情報の記録エリアを確保して、上記記録エリアにファイルを管理するための仮管理用情報を記録するとともに、少なくとも最内周側に記録されている仮管理用情報を更新する制御を行う制御手段として機能させることを特徴とする制御プログラムが上記制御コンピュータで読取可能に記録された情報記録媒体。
【発明の詳細な説明】
【０００１】
【発明の属する技術分野】
本発明は、ＤＶＤ−ＲＷ（ＤＶＤ−Ｒｅｗｒｉｔａｂｌｅ）などの書換え型光ディスクに情報を記録する光ディスク記録方法、光ディスク記録装置及び情報記録媒体に関する。
【０００２】
【従来の技術】
従来、大容量の光ディスクであるＤＶＤにおいて、情報の書き込み可能な光ディスクは、１回のみ書き込み可能なＤＶＤ−Ｒ（ＤＶＤ−Ｒｅｃｏｒｄａｂｌｅ）、追記可能なＤＶＤ−ＲＷ（ＤＶＤ−Ｒｅｗｒｉｔａｂｌｅ）、ＤＶＤ−ＲＡＭ（ＤＶＤ−Ｒａｎｄｏｍ　Ａｃｃｅｓｓ　Ｍｅｍｏｒｙ）が提供されるようになされている。これらの光ディスクのうち、ＤＶＤ−Ｒ、ＤＶＤ−ＲＷは、ＤＶＤ−ビデオフォーマットに準拠したフォーマットでビデオデータを記録することにより、再生専用の光ディスクプレーヤでも再生できるようになされている。さらにまた、この規格では、ユニバーサルディスクフォーマット（ＵＤＦ：Ｕｎｉｖｅｒｓａｌ　Ｄｉｓｋ　Ｆｏｒｍａｔ）の規格をサポートすることにより、コンピュータでディスクのデータを読むことができるようなっている。
【０００３】
図７は、このＤＶＤビデオフォーマットによる光ディスクの論理フォーマットを示す図表である。このフォーマットによる光ディスクは、図７（Ａ）に示すように、情報記録面が、先頭側である最内側よりリードイン（Ｌｅａｄ　ｉｎ）、データゾーン（Ｄａｔａ　Ｚｏｎｅ）、リードアウト（Ｌｅａｄ　ｏｕｔ）に区切られ、データゾーンに所望のビデオデータ等が記録される。
【０００４】
ここでデータゾーンは、リードイン側より、ＵＤＦブリッジ構成が記述されたファイルシステムエリアであるＵＤＦ（Ｕｎｉｖｅｒｓａｌ　Ｄｉｓｋ　Ｆｏｒｍａｔ）エリアＡ１、ＤＶＤ管理用情報エリアであるＶＭＧ（Ｖｉｄｅｏ　Ｍａｎａｇｅｒ）エリアＡ２、リアルタイムデータ記録エリアＡ３に区分される。ＵＤＦエリア及びＶＭＧエリアは、この光ディスクに記録されたビデオデータによるファイルを管理する管理用情報記録エリアである。これらのＵＤＦエリア及びＶＭＧエリアのうち、第２の管理用情報記録エリアであるＶＭＧエリアは、ＤＶＤビデオフォーマットに固有のファイル管理システムに対応するエリアであり、リアルタイムデータ記録エリアＡ３に記録されたビデオデータ全体を管理する管理用情報であるＴＯＣの情報が記録される。これに対して第１の管理用情報記録エリアであるＵＤＦエリアＡ１は、コンピュータによるファイル管理システムに対応するエリアであり、コンピュータにおけるファイルシステムとの互換を図るフォーマットによりリアルタイムデータ記録エリアＡ３に記録されたビデオデータ全体を管理する管理用情報が記録される。
【０００５】
リアルタイムデータ記録エリアＡ３は、実データを記録するユーザーエリアであり、図７（Ｂ）に示すように、ＶＴＳ（Ｖｉｄｅｏ　Ｔｉｔｌｅ　Ｓｅｔ）（以下、適宜、タイトルと呼ぶ）を単位にして、ビデオデータが記録される。なお、ＶＴＳは、最大で９９個まで設けることができるようになされている。このＶＴＳは、図７（Ｃ）に示すように、先頭側より、ＶＴＳＩ（Ｖｉｄｅｏ　Ｔｉｔｌｅ　Ｓｅｔ　ｉｎｆｏｒｍａｔｉｏｎ）、ＶＴＳＭ　ＶＯＢＳ（Ｖｉｄｅｏ　Ｏｂｊｅｃｔ　Ｓｅｔ　ｆｏｒ　ｔｈｅ　ＶＴＳＭ）、ＶＴＳＴＴ　ＶＯＢＳ（Ｖｉｄｅｏ　Ｏｂｊｅｃｔ　Ｓｅｔ　Ｆｏｒ　Ｔｉｔｌｅｓ　ｉｎ　ａ　ＶＴＳ）、ＶＴＳＩ　ＢＵＰ（Ｂａｃｋｕｐ　ｏｆ　ＶＴＳＩ）により構成される。ＶＴＳＴＴ　ＶＯＢＳには、実データであるＭＰＥＧ（Ｍｏｖｉｎｇ　Ｐｉｃｔｕｒｅ　Ｅｘｐｅｒｔｓ　Ｇｒｏｕｐ）２のフォーマットによるビデオデータが記録され、ＶＴＳＩには、この実データによるビデオデータを管理する管理用情報である記録位置情報等が、ＶＴＳＴＴ　ＶＯＢＳには、ビデオデータのタイトルメニューが記録される。なおＶＴＳＴＴ　ＶＯＢＳは、オブションである。ＶＴＳＩ　ＢＵＰは、ＶＴＳＩのバックアップである。
【０００６】
これらによりこの種の光ディスクにおいては、コンピュータによりアクセスする場合、ＵＤＦにより所望するファイルを検索して再生することができるようになされ、ＤＶＤプレイヤーにより再生する場合には、ＶＭＧにより所望するファイルを検索して再生することができるようになされている。
【０００７】
このような光ディスクにビデオデータを書き込む方式としては、Ｉｎｃｒｅｍｅｎｔａｌ　Ｒｅｃｏｒｄｉｎｇ方式（以下、ＩＮＣ方式と呼ぶ）、Ｒｅｓｔｒｉｃｔｅｄ　Ｏｖｅｒ　Ｗｒｉｔｅ方式（以下、ＲＯＷ方式と呼ぶ）が使用されるようになされている。ここでＩＮＣ方式は、シーケンシャルにビデオデータを記録する方式であり、ＲＯＷ方式は、上書き可能な光ディスクに適用される方式である。但し、ＲＯＷ方式においても、未記録エリアにデータを記録する場合には、シーケンシャルにビデオデータを記録する。これらＩＮＣ方式及びＲＯＷ方式においては、リードインの内周側に設けられたＲＭＡ（Ｒｅｃｏｒｄｉｎｇ　Ｍａｎａｇｅｍｅｎｔ　Ａｒｅａ）により、予約等の光ディスクヘの処理が管理されるようになされている。
【０００８】
ＩＮＣ方式による記録手順を図８に示す。ＩＮＣ方式においては、一度に書き込むエリアは最大３つまでと定義されており、これらをそれぞれＲｚｏｎｅと呼び、各ＲｚｏｎｅをＲＭＡで管理する。
【０００９】
すなわち、動画を記録する場合、ＩＮＣ方式においては、図８（Ａ）に示すように、始めにＲｚｏｎｅを予約する。ここでＲｚｏｎｅの予約は、管理用情報の記録エリアであるＵＤＦエリア、ＶＭＧエリアを形成するＲｚｏｎｅ１のエリアを定義し、続いてリアルタイムデータ記録エリアを形成する未記録エリアに、先頭のＶＴＳのＶＴＳＩ、ＶＴＳＭ　ＶＯＢＳを形成するＲｚｏｎｅ２のエリアを定義し、残る未記録エリアをＩｎｖｉｓｉｂｌｅＲｚｏｎｅのエリアと定義して実行される。ＩＮＣ方式は、このＲｚｏｎｅ１、Ｒｚｏｎｅ２の予約により、管理用情報の記録エリアを確保し、また先頭のＶＴＳのＶＴＳＩ、ＶＴＳＭ　ＶＯＢＳを形成するエリアを確保するようになされている。
【００１０】
ＩＮＣ方式においては、ＩｎｖｉｓｉｂｌｅＲｚｏｎｅの先頭側より順次ビデオデータを記録することにより、実データによるＶＴＳＴＴ　ＶＯＢＳを形成する。さらにユーザーの指示により、１つのタイトルについて実データの記録が完了すると、図８（Ｂ）に示すように、この実データの記録に続いてＶＴＳＩ　ＢＵＰを記録し、また、図８（Ｃ）に示すように、先頭側に戻ってＲｚｏｎｅ２にＶＴＳＩ、ＶＴＳＭ　ＶＯＢＳを形成し、Ｒｚｏｎｅ２を閉じる。これによりＩＮＣ方式においては、１つのＶＴＳを光ディスクに記録する。
【００１１】
また続けて次のタイトルを記録する場合、ＩＮＣ方式においては、図８（Ｄ）に示すように、残りの未記録エリアにＲｚｏｎｅ３を予約してＶＴＳＩ、ＶＴＳＭ　ＶＯＢＳのエリアを確保し、ＩｎｖｉｓｉｂｌｅＲｚｏｎｅを定義する。さらに続いて、図８（Ｅ）に示すように、実データの記録によりＶＴＳＴＴ　ＶＯＢＳを形成した後、ＶＴＳＩ　ＢＵＰを形成し、図８（Ｆ）に示すように、先に確保したエリアにＶＴＳＩ、ＶＴＳＭ　ＶＯＢＳを形成する。これにより光ディスクでは、図８（Ｇ）に示すように、続くＶＴＳが記録される。ＩＮＣ方式においては、引き続きタイトルを記録する場合、同様に未記録エリアを定義して順次ＶＴＳを記録する。
【００１２】
これに対してこのようにＶＴＳを順次記録して、リアルタイムデータ記録エリアが形成されてなる光ディスクについて、ＩＮＣ方式においては、図８（Ｈ）に示すように、ファイナライズの処理によりＵＤＦエリア、ＶＭＧエリアを形成し、さらにリードイン、リードアウトを形成し、これにより再生専用の光ディスクとの互換性が図られる。なおこのＵＤＦエリア、ＶＭＧエリアの形成においては、各タイトルのＶＴＳＩ、ＶＴＳＭ　ＶＯＢＳのデータより、ＵＤＦ、ＶＭＧのデータを生成し、このデータをＲｚｏｎｅ１に記録してＲｚｏｎｅ１を閉じることにより実行される。
【００１３】
次に、ＲＯＷ方式による記録手順を図９に示す。ＲＯＷ方式においては、図９（Ａ）に示すように、リードイン、ＵＤＦ、ＶＭＧ、先頭タイトルのＶＴＳＩ、ＶＴＳＭ　ＶＯＢＳの記録エリアをパディングにより事前に確保する。ここでパディングは、ＮＵＬＬ等のダミーデータを記録してエリアを確保する処理である。
【００１４】
このようにしてこれらのエリアを確保すると、ＲＯＷ方式においては、図９（Ｂ）に示すように、順次ビデオデータを記録することにより、実データによるＶＴＳＴＴ　ＶＯＢＳを形成し、１つのタイトルについて実データの記録が完了すると、図９（Ｂ）に示すように、続いてＶＴＳＩ　ＢＵＰを記録し、さらに続くタイトルのＶＴＳＩ、ＶＴＳＭ　ＶＯＢＳの記録エリアの確保のために、パディングの処理を実行する。また続いて先頭側に戻って、図９（Ｃ）に示すように、この実データの記録に対応するＶＴＳＩ、ＶＴＳＭ　ＶＯＢＳを形成する。これによりＲＯＷ方式においては、１つのＶＴＳを光ディスクに記録する。
【００１５】
また続けて次のタイトルを記録する場合、ＲＯＷ方式においては、図９（Ｄ）に示すように、）直前のＶＴＳにより形成したパディングのエリアに続いて、実データの記録によりＶＴＳＴＴ　ＶＯＢＳ、ＶＴＳＩＢＵＰを形成し、続くタイトルのＶＴＳＩ、ＶＴＳＭ　ＶＯＢＳの記録エリアの確保のために、パディングの処理を実行する。また続いて、図９（Ｅ）に示すように、ＶＴＳＩ、ＶＴＳＭＶＯＢＳを形成し、これにより、図９（Ｆ）に示すように、続くＶＴＳを光ディスクに記録する。ＲＯＷ方式においては、引き続きタイトルを記録する場合、同様にパディング等の処理を実行して順次ＶＴＳを記録する。
【００１６】
これに対してこのようにＶＴＳを順次記録して、リアルタイムデータ記録エリアが形成されてなる光ディスクについて、ＲＯＷ方式においては、図９（Ｇ）に示すように、ＩＮＣ方式と同様のファイナライズの処理によりＵＤＦエリア、ＶＭＧエリアを形成し、さらにリードイン、リードアウトを形成し、これにより再生専用の光ディスクとの互換性が図られるようになされている。
【００１７】
【発明が解決しようとする課題】
ところで、一般的にＤＶＤ−ＲＷメディアにＤＶＤ−ビデオフォーマット記録する場合、中間状態を管理するファイルシステムが必要となる。ＤＶＤ−ビデオ規格のみの記録ならば、ＶＴＳを管理する情報が中間状態のファイルシステムにも保持されるので、ＶＴＳを削除した場合、メディア上のどのＬＳＮ（Ｌｏｇｉｃａｌ　Ｓｅｃｔｏｒ　Ｎｕｍｂｅｒｓ）が空いたか管理される。この情報を利用して、当該位置に新たに記録することが可能となる。
【００１８】
例えば、特開平１４−０６３７６５号公報には、実時間に沿って情報をＤＶＤ−Ｒに記録する場合に、実時間に無関係に情報が記録された再生専用ＤＶＤ用のプレーヤによっても再生することが可能なように情報を記録する技術が開示されている。この開示技術では、再生されるべきＶＯＢＳ及び当該ＶＴＳＩを含むＶＴＳと、一又は複数のＶＴＳの再生を制御するためのＶＭＧＩとを少なくとも含んで構成されているＤＶＤビデオ規格に準拠しつつＤＶＤ−Ｒに情報を記録する場合に、ＶＴＳをＤＶＤ−Ｒに記録し、ＶＴＳの記録後、当該記録されたＶＴＳに対応すると共にＶＭＧＩを後ほど形成してＤＶＤ−Ｒに記録するための仮の制御情報である仮ＶＭＧＩを生成し、生成された仮ＶＭＧＩを、ＶＴＳがＤＶＤ−Ｒに記録される度に当該ＤＶＤ−Ｒに記録する。このように、単位記録情報が記録されたとき、仮制御情報を生成して一時的に追記型記録媒体に記録することにより、当該追記型記録媒体において複数の単位記録情報が記録された場合であっても、最新の内容を有する仮制御情報を用いて後ほど本来の管理制御情報を正確に記録することで、実時間に沿った情報記録を前提としない再生専用記録媒体用の記録フォーマットに準拠して追記型記録媒体に対する実時間に沿った情報記録を実行することができる。
【００１９】
従来、書換え可能な光ディスクメディアを使用した映像記録装置において、ＤＶＤビデオフォーマットを実現する場合、固定アドレスに一時的な再生管理用情報を記録し、ファイナライズ時にＤＶＤビデオに準拠したファイルシステム、再生情報を記録するのが一般的である。しかし、この方法では固定アドレスに頻繁にアクセスが発生し、メディアの書換え強度を短時間で超えてしまう可能性がある。一旦この管理用情報が読み込み不可能になると、ディスク全ての管理用情報を失うことになる。
【００２０】
そこで、本発明の目的は、上述の如き従来の問題点に鑑み、固定アドレスが読み込み不能となっても復旧動作の可能な光ディスク記録方法、光ディスク記録装置及び情報記録媒体を提供することにある。
【００２１】
【課題を解決するための手段】
本発明では、このエリアと同一内容の情報をバックアップすることによって、固定アドレスが読み込み不能となっても復旧動作を可能にする。また、バックアップアドレスを記録とともに移動させることによって、書換え強度の向上を図る。
【００２２】
すなわち、本発明は、再生されるべき記録情報及び当該記録情報を管理するための管理用情報を含むファイルと、一又は複数の上記ファイルを管理するためのファイル管理用情報とを少なくとも含んで構成されている再生専用記録媒体用の記録フォーマットに準拠しつつ、記録に供するファイルと上記ファイルの管理用情報とを組にして書換え可能な光ディスクのユーザーエリアに記録する光ディスク記録方法であって、上記ユーザーエリアに記録されたファイルを管理するための仮管理用情報、上記再生専用記録媒体用の記録フォーマットに準拠した管理用情報及び記録に供するファイルの記録情報を管理するための管理用情報の記録エリアを確保し、上記記録エリアにファイルを管理するための仮管理用情報を記録して、上記記録エリアに続けて記録に供するファイルの記録情報を記録し、上記ファイルの記録情報を管理するための管理用情報を上記記録エリアに記録することにより上記ファイルを閉じ、上記ファイルを管理するための仮管理用情報及び次の記録に供するファイルの記録情報を管理するための管理用情報の記録エリアを確保して、上記記録エリアにファイルを管理するための仮管理用情報を記録するとともに、先に記録済みの仮管理用情報を最新の仮管理用情報に書き換え、ファイルを記録する毎に、上記ファイルを管理するための仮管理用情報及び次の記録に供するファイルの記録情報を管理するための管理用情報の記録エリアを確保して、上記記録エリアにファイルを管理するための仮管理用情報を記録するとともに、少なくとも最内周側に記録されている仮管理用情報を更新することを特徴とする。
【００２３】
また、本発明は、再生されるべき記録情報及び当該記録情報を管理するための管理用情報を含むファイルと、一又は複数の上記ファイルを管理するためのファイル管理用情報とを少なくとも含んで構成されている再生専用記録媒体用の記録フォーマットに準拠しつつ、記録に供するファイルと上記ファイルの管理用情報とを組にして書換え可能な光ディスクのユーザーエリアに記録する光ディスク記録装置であって、記録に供するファイルの管理用情報を生成する管理用情報生成手段と、上記ファイルと、上記ファイルに対応する上記管理用情報とを組にして光ディスクのユーザーエリアに記録する記録手段と、少なくとも上記管理用情報生成手段、上記記録手段の動作を制御する制御手段とを備え、上記制御手段は、上記ユーザーエリアに記録されたファイルを管理するための仮管理用情報、上記再生専用記録媒体用の記録フォーマットに準拠した管理用情報及び記録に供するファイルの記録情報を管理するための管理用情報の記録エリアを確保し、上記記録エリアにファイルを管理するための仮管理用情報を記録して、上記記録エリアに続けて記録に供するファイルの記録情報を記録し、上記ファイルの記録情報を管理するための管理用情報を上記記録エリアに記録することにより上記ファイルを閉じ、上記ファイルを管理するための仮管理用情報及び次の記録に供するファイルの記録情報を管理するための管理用情報の記録エリアを確保して、上記記録エリアにファイルを管理するための仮管理用情報を記録するとともに、先に記録済みの仮管理用情報を最新の仮管理用情報に書き換え、ファイルを記録する毎に、上記ファイルを管理するための仮管理用情報及び次の記録に供するファイルの記録情報を管理するための管理用情報の記録エリアを確保して、上記記録エリアにファイルを管理するための仮管理用情報を記録するとともに、少なくとも最内周側に記録されている仮管理用情報を更新することを特徴とする。
【００２４】
さらに、本発明は、記録に供するファイルと、上記ファイルの管理用情報とを組にして光ディスクのユーザーエリアに記録する光ディスク記録装置に備えられ、記録に供するファイルの管理用情報を生成する管理用情報生成手段と、上記ファイルと、上記ファイルに対応する上記管理用情報とを組にして光ディスクのユーザーエリアに記録する記録手段の動作を制御する制御コンピュータを、上記ユーザーエリアに記録されたファイルを管理するための仮管理用情報、上記再生専用記録媒体用の記録フォーマットに準拠した管理用情報及び記録に供するファイルの記録情報を管理するための管理用情報の記録エリアを確保し、上記記録エリアにファイルを管理するための仮管理用情報を記録して、上記記録エリアに続けて記録に供するファイルの記録情報を記録し、上記ファイルの記録情報を管理するための管理用情報を上記記録エリアに記録することにより上記ファイルを閉じ、上記ファイルを管理するための仮管理用情報及び次の記録に供するファイルの記録情報を管理するための管理用情報の記録エリアを確保して、上記記録エリアにファイルを管理するための仮管理用情報を記録するとともに、先に記録済みの仮管理用情報を最新の仮管理用情報に書き換え、ファイルを記録する毎に、上記ファイルを管理するための仮管理用情報及び次の記録に供するファイルの記録情報を管理するための管理用情報の記録エリアを確保して、上記記録エリアにファイルを管理するための仮管理用情報を記録するとともに、少なくとも最内周側に記録されている仮管理用情報を更新する制御を行う制御手段として機能させることを特徴とする制御プログラムが上記制御コンピュータで読取可能に記録されたものである。
【００２５】
【発明の実施の形態】
以下、本発明の実施の形態について図面を参照しながら詳細に説明する。
【００２６】
本発明は、例えば図１に示すような構成の光ディスク記録／再生装置１００に適用される。
【００２７】
この光ディスク記録／装置１００は、携帯型のカメラ一体型ビデオレコーダであり、追記可能なＤＶＤ−ＲＷ（ＤＶＤ−Ｒｅｗｒｉｔａｂｌｅ）の光ディスク２に撮像結果をＲＯＷ方式で記録するようにしたものである。
【００２８】
この光ディスク記録／再生装置１００は、映像入力部３、オーディオ入力部５、圧縮／伸長処理部６、ヘッダー情報処理部７、ランダムアクセスメモリ（ＲＡＭ）９，１５、システムコントローラ１０、操作部１１、モニタ部１２、ビデオ／オーディオエンコーダ１３、ＤＶＤ信号処理部１４、アナログフロントエンド部１６、モータ駆動制御部１８、光学ヘッド１９、スピンドルモータ２０やスレッドモータ２１等を備える。上記圧縮／伸長処理部６は、ビデオ処理部６１、オーディオ処理部６２、多重化処理部６３からなる。
【００２９】
この光ディスク記録／再生装置１００において、映像入力部３は、図示しない撮像手段より得られる撮像結果である映像信号、又は、外部機器から入力される映像信号をディジタル信号に変換することによりビデオデータを生成して、圧縮／伸長処理部６、モニタ部１２及びビデオ／オーディオエンコーダ１３に供給する。なお、映像入力部３は、システムコントローラ１０による制御に応じて内蔵の撮像手段による撮像結果として得られるビデオデータを入力するようになされている。
【００３０】
オーディオ入力部５は、マイクロフォンで取得される音声信号、又は、外部入力による音声信号をディジタル信号に変換することによりオーディオデータを生成して、圧縮／伸長処理部６、モニタ部１２及びビデオ／オーディオエンコーダ１３に供給する。
【００３１】
圧縮／伸長処理部６は、システムコントローラ１０の制御により動作が切り換えられ、記録時には、ランダムアクセスメモリ９を用いて、ビデオデータ及びオーディオデータをデータ圧縮して多重化処理し、ヘッダー情報処理部７に出力する。また、再生時、ランダムアクセスメモリ９を用いて、ヘッダー情報処理部７より得られるデータをビデオデータ及びオーディオデータに分離した後、それぞれデータ伸長してモニタ部１２及びビデオ／オーディオエンコーダ１３に出力する。
【００３２】
すなわち、圧縮／伸長処理部６において、ビデオ処理部６１は、システムコントローラ１０の制御により、記録時に、映像入力部３から出力されるビデオデータをデータ圧縮して出力する。このときビデオデータが動画の場合、ＭＰＥＧ２のフォーマットによりデータ圧縮する。またビデオ処理部６１は、再生時に、多重化処理部６３から出力されるビデオデータをそのデータ圧縮フォーマットに対応してデータ伸長して出力する。また、オーディオ処理部６２は、記録時に、オーディオ入力部５から入力されるオーディオデータをＭＰＥＧ、ドルビーオーディオ、又はリニアＰＣＭ等のフォーマットによりデータ圧縮して出力する。また、再生時には、多重化処理部６３から得られるオーディオデータをデータ伸長して出力する。さらに、多重化処理部６３は、記録時に、ビデオ処理部６１から出力されるビデオデータ、オーディオ処理部６２から出力されるオーディオデータを時分割多重化してヘッダー情報処理部７に出力する。また、再生時には、ヘッダー情報処理部７から出力される時分割多重化データよりビデオデータ及びオーディオデータを分離し、それぞれビデオ処理部６１、オーディオ処理部６２に出力する。
【００３３】
モニタ部１２は、映像入力部３から入力されるビデオデータ、オーディオ入力部５から入力されるオーディオデータ、又は圧縮／伸長処理部６から出力されるビデオデータ、オーディオデータをモニタする表示機構、音声処理機構により構成され、これによりこの光ディスク記録／再生装置１００では、撮像結果と再生結果をモニタできるようになされている。
【００３４】
ビデオ／オーディオエンコーダ１３は、オーディオ入力部５から入力されるビデオデータ及びオーディオデータ、又は圧縮／伸長処理部６から出力されるビデオデータ及びオーディオデータを所定フォーマットによりデータ圧縮して外部機器に出力する。これによりこの光ディスク記録／再生装置１００では、撮像結果と再生結果を外部機器でモニタできるようになされている。
【００３５】
ヘッダー情報処理部７は、記録時に、圧縮／伸長処理部６から出力される時分割多重化データを受け、システムコントローラ１０の制御により、ＤＶＤに固有のヘッダー情報等を付加して出力する。また、システムコントローラ１０からの情報により、ＵＤＦ、ＶＭＧ、ＶＴＳＩ等のデータを生成してＤＶＤ信号処理部１４に出力する。また再生時等には、ＤＶＤ信号処理部１４の出力データから、記録時に付加したヘッダー情報を分離して圧縮／伸長処理部６に出力する。また、この分離したヘッダー情報をシステムコントローラ１０に通知する。
【００３６】
ＤＶＤ信号処理部１４は、記録時に、ランダムアクセスメモリ１５を用いて、ヘッダー情報処理部７の出力データよりエラー訂正符号を生成し、このエラー訂正符号をこの出力データに付加する。また、スクランブル処理、８／１５変調等の処理を実行し、その処理結果によるデータ列をシリアルデータ列によりアナログフロントエンド部１６に出力する。さらに、再生時には、ＤＶＤ信号処理部１４は、記録時とは逆に、アナログフロントエンド部１６の出力データを復号処理、デスクランブル処理、エラー訂正処理し、処理結果をヘッダー情報処理部７に出力する。またＤＶＤ信号処理部１４は、システムコントローラ１０から出力されるスピンドル制御用、トラッキング制御用、フォーカス制御用、スレッド制御用の各種駆動情報をディジタルアナログ変換処理してこれらの駆動信号を生成し、これら駆動信号をモータ駆動制御部１８に出力する。
【００３７】
アナログフロントエンド部１６は、光学ヘッド１９から光ディスク２に照射するレーザービームについて、光量制御信号を生成して出力する。アナログフロントエンド部１６は、再生時、この光量制御信号により光学ヘッド１９から光ディスク２に照射するレーザービームの光量を再生用の一定光量に保持するのに対し、記録時、ＤＶＤ信号処理部１４からの出力データに応じてこの光量制御信号の信号レベルを変化させ、これによりこのＤＶＤ信号処理部１４からの出力データに応じてレーザービームの光量を再生時の光量から記録の光量に間欠的に立ち上げる。
【００３８】
また、アナログフロントエンド部１６は、光学ヘッド１９から得られる戻り光の受光結果を増幅して演算処理することにより、光ディスク２に形成されたピット列に対応して信号レベルが変化する再生信号を生成し、この再生信号の信号処理によりこの再生信号の２値識別結果である再生データをＤＶＤ信号処理部１４に出力する。また、この演算処理により、トラッキングエラー量、フォーカスエラー量に応じて信号レベルが変化するトラッキングエラー信号、フォーカスエラー信号等を生成し、これらの信号をディジタル信号によりシステムコントローラ１０に出力する。
【００３９】
モータ駆動制御部１８は、ＤＶＤ信号処理部１４から出力される各種駆動信号により、それぞれ対応する機構を駆動する。すなわち、モータ駆動制御部１８は、これらの駆動信号のうち、スピンドル制御用の駆動信号、スレッド制御用の駆動信号によりスピンドルモータ２０、スレッドモータ２１を回転駆動する。またトラッキング制御用の駆動信号、フォーカス制御用の駆動信号により光学ヘッド１９に搭載のアクチュエータを駆動する。
【００４０】
スピンドルモータ２０は、光ディスク２をチャッキングして所定の回転速度により回転駆動する。スレッドモータ２１は、光学ヘッド１９を光ディスク２の半径方向に可動させる。
【００４１】
光学ヘッド１９は、アナログフロントエンド部１６から出力される光量制御信号により内蔵の半導体レーザーからレーザービームを出射し、対物レンズを介してこのレーザービームを光ディスク２の情報記録面に集光する。またこのレーザービームの照射により光ディスク２から得られる戻り光をこの対物レンズを介して所定の受光素子に導き、この受光素子の受光結果をアナログフロントエンド部１６に出力する。光学ヘッド１９は、この対物レンズがトラッキング制御用の駆動信号、フォーカス制御用の駆動信号により駆動されるアクチュエータにより可動するようになされ、これによりトラッキング制御、フォーカス制御できるようになされている。またレーザービームの光量が光量制御信号により間欠的に立ち上げられ、これにより光ディスク２の情報記録面を局所的に温度上昇させて所望のデータを記録するようになされている。
【００４２】
システムコントローラ１０は、この光ディスク記録／再生装置１００全体の動作を制御するコンピュータからなり、この光ディスク記録／再生装置１００に事前にインストールされた処理プログラムを実行することにより、操作部１１を介して得られるユーザーの操作入力により、さらには、アナログフロントエンド部１６で検出される各種信号等により、各部の動作を制御する。すなわち、システムコントローラ１０は、アナログフロントエンド部１６で検出されるトラッキングエラー信号、フォーカスエラー信号により、トラッキング制御用、フォーカス制御用の駆動情報を生成し、ＤＶＤ信号処理部１４でアナログ信号に変換してモータ駆動制御部１８に出力し、これによりトラッキング制御、フォーカス制御の処理を実行する。また、ヘッダー情報処理部７で検出されるヘッダー情報等によりレーザービーム照射位置を検出し、この検出結果よりスレッド制御用の駆動情報を生成してＤＶＤ信号処理部１４に出力し、これによりシーク等の処理を実行する。また同様にしてスピンドル制御の処理を実行する。
【００４３】
また、これらの光ディスク２に関する処理を前提として、電源の立ち上げにより図２に示す処理手順を実行する。すなわちシステムコントローラ１０は、電源が立ち上げられると、ステップＳＰ１において、図示しない光ディスク２の検出機構による検出結果より光ディスク２の有無を判断する。このステップＳＰ１で否定結果が得られると、システムコントローラ１０は、ステップＳＰ１を繰り返す。これに対して光ディスク２が装填された状態で電源が立ち上げられた場合、さらには電源を立ち上げた後、光ディスク２が装填されると、ステップＳＰ１で肯定結果が得られることにより、ステップＳＰ２に移る。なおシステムコントローラ１０は、このステップＳＰ１の繰り返しにおいて、電源が立ち下げられると、ステップＳＰ４に直接移ってこの処理手順を終了する。
【００４４】
ステップＳＰ２において、システムコントローラ１０は、スレッドモータ２１を駆動して光学ヘッド１９を光ディスク２の最内周に移動させ、この最内周側の再生結果をＤＶＤ信号処理部１４から取得することにより、ファイナライズ処理されている光ディスク２については、ＶＭＧのデータを取得する。これに対して光ディスク２が未だファイナライズ処理されていない場合には、ＲＭＡの情報を取得する。またこのＲＭＡの情報により、光ディスク２のリアルタイムデータ記録エリアに既にデータが記録されていると判断される場合には、光ディスク２をサーチして各ＶＴＳのＶＴＳＩ、ＶＴＳＴＴ　ＶＯＢＳのデータを取得する。これによりシステムコントローラ１０は、通常のＤＶＤを記録再生する光ディスク装置と同様に、光ディスク２の記録再生に必要な光ディスク２の管理用情報を取得するようになされている。
【００４５】
この処理において、システムコントローラ１０は、ＶＭＧのデータに加えて、ＵＤＦのデータも併せて取得し、取得した一連の管理用情報を内蔵のメモリに記録して保持する。
【００４６】
続いてシステムコントローラ１０は、ステップＳＰ３に移り、光ディスク２の排出が指示されたか否か判断し、ここで肯定結果が得られると、光ディスク２の排出を図示しないローディング機構に指示した後、ステップＳＰ１に戻る。
【００４７】
これに対してユーザーより光ディスク２の排出以外の指示が得られると、ステップＳＰ３からステップＳＰ４に移り、このユーザーによる操作が記録を指示する操作か（ＲＥＣにより示す）、再生を指示する操作か（ＰＢにより示す）、電源の立ち下げを指示する操作が（Ｐｏｗｅｒ　ＯＦＦにより示す）か判断する。ここでユーザーによる操作が再生を指示する操作の場合、システムコントローラ１０は、ステップＳＰ４からステップＳＰ５に移り、光ディスク２に記録されたファイルを再生する再生処理手順を実行してステップＳＰ４に戻る。
【００４８】
これに対してユーザーによる操作が記録を指示する操作の場合、システムコントローラ１０は、ステップＳＰ４からステップＳＰ６に移り、光ディスク２に画像を記録する記録処理手順を実行してステップＳＰ４に戻る。なおシステムコントローラ１０は、光ディスク２がいわゆるファイナライズ処理されてＵＤＦ、ＶＭＧが形成されている場合、光ディスク２がデータを記録できないように処理されていることにより、記録処理手順を省略してステップＳＰ４に戻る。また、このようにファイナライズ処理されている場合でも、光ディスク２が消去可能なＤＶＤ−ＲＷの場合、ユーザーの確認により記録済データを消去して、記録処理手順を実行する。
【００４９】
これに対してユーザーによる操作が電源を立ち下げる操作の場合、システムコントローラ１０は、ステップＳＰ４からステップＳＰ７に移り、電源立ち下げの処理を実行し、この処理手順を終了する。
【００５０】
システムコントローラ１０は、このようにして実行される処理手順のうちの記録処理手順において、光ディスク２がＤＶＤ−ＲＷの場合、ＲＯＷ方式により画像のファイルを記録する。
【００５１】
図３は、記録処理手順を示すフローチャートである。システムコントローラ１０は、この記録処理手順では、先ず最初のステップＳＰ１１において、ユーザーによる記録の指示が画像の記録に係るものか、ファイナライズの処理に係るものか判断する。
【００５２】
ここでユーザーによる記録の指示が画像の記録に係るものの場合、システムコントローラ１０は、ステップＳＰ１２に移り、ユーザーにより記録の開始が指示されたか否か判断する。ここで否定結果が得られると、システムコントローラ１０は、ステップＳＰ１２を繰り返すのに対し、肯定結果が得られると、ステップＳＰ１２からステップＳＰ１３に移り、実データによるＶＴＳＴＴ　ＶＯＢＳを記録する。
【００５３】
さらにステップＳＰ１４に移り、ユーザーにより記録の停止が指示されたか否か判断し、ここで否定結果が得られると、ステップＳＰ１３に戻る。これによりシステムコントローラ１０は、ステップＳＰ１３−ＳＰ１４−ＳＰ１３の処理手順を繰り返し、順次、実データを記録し、ステップＳＰ１４で肯定結果が得られると、実データＶＴＳＴＴ　ＶＯＢＳの記録を完了する。
【００５４】
続いてシステムコントローラ１０は、ステップＳＰ１５に移り、ＶＴＳＩ　ＢＵＰ、ＶＴＳＩ、ＶＴＳＭ　ＶＯＢＳを順次形成し、これにより１つのＶＴＳを記録し、ＴＭＰ＿ＶＭＧＩを更新して、この記録処理手順を終了する。
【００５５】
これに対してユーザーにより記録の指示がファイナライズの処理に係るものの記録の場合、システムコントローラ１０は、ステップＳＰ１１からステップＳＰ１６に移り、ユーザーにより記録の開始が指示されたか否か判断する。ここで否定結果が得られると、システムコントローラ１０は、ステップＳＰ１６を繰り返すのに対し、肯定結果が得られると、ステップＳＰ１６からステップＳＰ１７に移り、ファイナライズの処理を実行し、この処理手順を終了する。
【００５６】
図４は、光ディスク２が何らファイルを記録していないいわゆるバージンディスクの場合を例にとって、このＲＯＷ方式により画像ファイルの記録処理の説明に供する図表である。システムコントローラ１０は、光ディスク２より取得してメモリに保持したＲＭＡの情報を更新することにより、図４（Ａ）に示すように、ディスクの最内周側にリードイン、ＵＤＦ、ＴＭＰ＿ＶＭＧＩ、先頭タイトルのＶＴＳＩ、ＶＴＳＭ　ＶＯＢＳの記録エリアをパディングにより事前に確保する。ここでパディングは、ＮＵＬＬ等のダミーデータを記録してエリアを確保する処理である。
【００５７】
そして、図４（Ｂ）に示すように、順次ビデオデータを記録することにより、実データによるＶＴＳＴＴ　ＶＯＢＳを形成し、１つのタイトルについて実データの記録が完了すると、続いてＶＴＳＩ　ＢＵＰを記録し、さらに続くタイトルのＶＴＳＩ、ＶＴＳＭ　ＶＯＢＳの記録エリアの確保のために、パディングの処理を実行する。また続いて先頭側に戻って、図４（Ｃ）に示すように、ＴＭＰ＿ＶＭＧＩを更新するとともに、この実データの記録に対応するＶＴＳＩ、ＶＴＳＭ　ＶＯＢＳを形成する。これにより、１つのＶＴＳを光ディスクに記録する。
【００５８】
すなわち、システムコントローラ１０は、上記ステップＳＰ１２においてユーザーにより記録の開始が指示されることにより、図４（Ｂ）に示すように、実データによるＶＴＳＴＴ　ＶＯＢＳを記録し、上記ステップＳＰ１４においてユーザーにより記録の停止が指示されることにより、図４（Ｃ）に示すように、実データＶＴＳＴＴ　ＶＯＢＳの記録を完了して、上記ステップＳＰ１５において、ＶＴＳＩ　ＢＵＰ、ＶＴＳＩ、ＶＴＳＭ　ＶＯＢＳを順次形成し、これにより１つのＶＴＳを記録し、ＴＭＰ＿ＶＭＧＩを更新する。
【００５９】
また、続けて次のタイトルを記録する場合、直前のＶＴＳにより形成したパディングのエリアに続いて、図４（Ｄ），（Ｅ）に示すように、実データの記録によりＶＴＳＴＴ　ＶＯＢＳ、ＶＴＳＩＢＵＰを形成し、ＴＭＰ＿ＶＭＧＩ及び続くタイトルのＶＴＳＩ、ＶＴＳＭ　ＶＯＢＳの記録エリアの確保のために、パディングの処理を実行する。
【００６０】
ここで、ＴＭＰ＿ＶＭＧＩは、１つのタイトルの記録が終了した時点でＶＴＳＩとともに記録される仮のＶＭＧＩであり、ディスクに記録されたＶＴＳの数やディスクネームの情報、及び９９タイトル分のＶＴＳの物理配置やタイトルネームの情報等を含んでいる。このＴＭＰ＿ＶＭＧＩは、これまでに記録した全てのタイトル（ＶＴＳ）に対する最新の情報に更新される。
【００６１】
なお、図４に示す例では、図４（Ｆ）に示すように、最内周側のＴＭＰ＿ＶＭＧＩに加えて、１つのＶＴＳを作成する毎に、そのＶＴＳの後ろに新たなＴＭＰ＿ＶＭＧＩが記録され、さらに、全てのＴＭＰ＿ＶＭＧＩが最新の情報に更新される。
【００６２】
このようにしてシステムコントローラ１０は、順次タイトルを記録するようになされている。また、未だファイナライズされていない光ディスク２が装填され、この光ディスク２に追記する場合には、図２のステップＳＰ２で取得したＲＭＡのデータであって、メモリに保持してなるＲＭＡのデータにより、既に記録済のタイトルの末尾より、同様の処理を実行し、これにより撮像結果である画像を追記する。
【００６３】
これに対してファイナライズの処理においては、このようにして生成してメモリに保持した管理用情報によりＵＤＦ、ＶＭＧを生成し、リードイン、リードアウトを生成する。
【００６４】
なお未だファイナライズされていない光ディスク２に追記した場合には、既に光ディスク２に記録済のタイトルについては、図２のステップＳＰ２で取得したＶＴＳＩ、ＴＭＰ＿ＶＭＧＩ、ＶＴＳＴＴ　ＶＯＢＳにより、これらタイトルについてのＵＤＦ、ＶＭＧのデータを生成する。
【００６５】
このようにＶＴＳを順次記録して、リアルタイムデータ記録エリアが形成されてなる光ディスクについて、図４（Ｇ）に示すように、ファイナライズの処理によりＵＤＦエリア、ＶＭＧエリアを形成し、さらにリードイン、リードアウトを形成し、これにより再生専用の光ディスクとの互換性が図られるようになされている。
【００６６】
すなわち、システムコントローラ１０は、上記ステップＳＰ１１においてユーザーによりファイナライズの処理が指示され、上記ステップＳＰ１６においてユーザーにより記録の開始が指示されると、図４（Ｈ）に示すように、ＵＤＦエリア、ＶＭＧエリアを形成し、さらにリードイン、リードアウトを形成するファイナライズの処理を実行する。
【００６７】
ここで、図４に示した例では、１つのＶＴＳを作成する毎に、パディングの処理を実行して、そのＶＴＳの後ろに新たなＴＭＰ＿ＶＭＧＩ及び続くタイトルのＶＴＳＩ、ＶＴＳＭ　ＶＯＢＳの記録エリアの確保するようにして、１つのＶＴＳを作成する毎に、そのＶＴＳの後ろに新たなＴＭＰ＿ＶＭＧＩを記録することによって、ＶＴＳの数に加えた箇所にＴＭＰ＿ＶＭＧＩが記録されるので、最内周側のＴＭＰ＿ＶＭＧＩの記録エリアにメディアの書換え強度を超えてしまう更新により管理用情報が読み込み不可能になっても、他の記録エリアに記録されているＴＭＰ＿ＶＭＧＩから管理用情報を読み込むことができ、上記ファイナライズの処理を実行することができる。
【００６８】
なお、上述の図４に示した例では、１つのＶＴＳを作成する毎に、そのＶＴＳの後ろに新たなＴＭＰ＿ＶＭＧＩを記録するとともに、全てのＴＭＰ＿ＶＭＧＩを最新の情報に更新したが、最内周側のＴＭＰ＿ＶＭＧＩと最外周側のＴＭＰ＿ＶＭＧＩの２箇所を最新の情報にするようにしてもよい。
【００６９】
また、図５に示す例のように、パディングの処理により確保する記録エリアの大きさを、ＶＴＳの後ろに続くタイトルのＶＴＳＩ，ＶＴＳＭ　ＶＯＢＳの大きさとし、１つのＶＴＳを作成する毎に上記パディングの処理により確保した記録エリアに最新のＴＭＰ＿ＶＭＧＩを記録するとともに、最内周側のＴＭＰ＿ＶＭＧＩを更新し、次のＶＴＳを構成するＶＴＳＴＴ　ＶＯＢＳ，ＶＴＳＩ　ＢＵＰを順次形成し、これにより１つのＶＴＳを記録し、上記パディングの処理により確保した記録エリアにＶＴＳＩ、ＶＴＳＭ　ＶＯＢＳに記録する。すなわち上記ＴＭＰ＿ＶＭＧＩに上書きしてＶＴＳを閉じるとともに、パディングの処理により記録エリアを確保して最新のＴＭＰ＿ＶＭＧＩを記録するとともに、最内周側のＴＭＰ＿ＶＭＧＩを更新するようにして、最内周側のＴＭＰ＿ＶＭＧＩと最外周側のＴＭＰ＿ＶＭＧＩの２箇所とするようにしてもよい。
【００７０】
図６は、再生処理手順を示すフローチャートである。システムコントローラ１０は、この再生処理手順を開始すると、ステップＳＰ３１において、システムコントローラ１０は、ユーザーにより再生の開始が指示されたか否か判断する。ここで否定結果が得られると、システムコントローラ１０は、ステップＳＰ３１を繰り返すのに対し、肯定結果が得られると、ステップＳＰ３１からステップＳＰ３２に移る。ここで、システムコントローラ１０は、メモリに記録して保持した管理用情報を基準にして、ユーザーにより指示された画像のファイルを再生するように全体の動作を制御する。
【００７１】
すなわち、光ディスク２がファイナライズ処理された光ディスクの場合、メモリに保持したＶＭＧのデータにより対応するファイルの記録位置を検出し、この記録位置からの再生を光ディスク記録／再生装置１００の各部に指示する。これに対して光ディスク２がファイナライズ処理されていない光ディスクの場合、メモリに保持したＴＭＰ−ＶＭＧ及び各タイトルのＶＴＳＩ、ＶＴＳＴＴ　ＶＯＢＳにより対応するファイルの記録位置を検出し、この記録位置からの再生を光ディスク記録／再生装置１００の各部に指示する。
【００７２】
このように再生を指示すると、システムコントローラ１０は、続いてステップＳＰ３３に移り、ユーザーにより再生の停止が指示されたか否か判断し、ここで否定結果が得られると、ステップＳＰ３２に戻る。これによりシステムコントローラ１０は、ステップＳＰ３２−ＳＰ３３−ＳＰ３２の処理手順を繰り返し、順次、ユーザーにより指示された動画のファイルを再生する。これに対してステップＳＰ３３で肯定結果が得られると、再生の動作を終了し、この再生処理手順を終了する。
【００７３】
【発明の効果】
以上のように、本発明によれば、再生されるべき記録情報及び当該記録情報を管理するための管理用情報を含むファイルと、一又は複数の上記ファイルを管理するためのファイル管理用情報とを少なくとも含んで構成されている再生専用記録媒体用の記録フォーマットに準拠しつつ、記録に供するファイルと上記ファイルの管理用情報とを組にして書換え可能な光ディスクのユーザーエリアにファイルを記録する毎に、上記ファイルを管理するための仮管理用情報及び次の記録に供するファイルの記録情報を管理するための管理用情報の記録エリアを確保して、上記記録エリアにファイルを管理するための仮管理用情報を記録するとともに、少なくとも最内周側に記録されている仮管理用情報を更新するので、これにより、最内周側の仮管理用情報の記録エリアに対するメディアの書換え強度を超えてしまう更新により仮管理用情報が読み込み不可能になっても、他の記録エリアに記録されている仮管理用情報を読み込むことができ、上記ファイナライズの処理を実行することができる。
【図面の簡単な説明】
【図１】本発明を適用した光ディスク記録／再生装置の構成を示すブロック図である。
【図２】上記光ディスク記録／再生装置において電源の立ち上げ時に実行される処理の手順を示すフローチャートである。
【図３】上記光ディスク記録／再生装置におけるＲＯＷ方式による画像ファイルの記録処理の説明に供する図である。
【図４】上記ＲＯＷ方式による画像ファイルの記録処理の説明に供する図表である。
【図５】上記ＲＯＷ方式による画像ファイルの記録処理の他の例の説明に供する図表である。
【図６】上記光ディスク記録／再生装置における再生処理の手順を示すフローチャートである。
【図７】ＤＶＤビデオフォーマットの説明に供する図表である。
【図８】ＩＮＣ方式による記録の説明に供する図表である。
【図９】ＲＯＷ方式による記録の説明に供する図表である。
【符号の説明】
２　光ディスク、３　映像入力部、５　オーディオ入力部、６　圧縮／伸長処理部、７　ヘッダー情報処理部、９，１５　ランダムアクセスメモリ、１０　システムコントローラ、１１　操作部、１２　モニタ部、１３　ビデオ／オーディオエンコーダ、１４　ＤＶＤ信号処理部、１６　アナログフロントエンド部、１８　モータ駆動制御部、１９　光学ヘッド、２０　スピンドルモータ、２１　スレッドモータ、６１　ビデオ処理部、６２　オーディオ処理部、６３　多重化処理部、１００　光ディスク記録／再生装置、
【図１】
2004013967.tif 000003
【図２】
2004013967.tif 000004
【図３】
2004013967.tif 000005
【図４】
2004013967.tif 000006
【図５】
2004013967.tif 000007
【図６】
2004013967.tif 000008
【図７】
2004013967.tif 000009
【図８】
2004013967.tif 000010
【図９】
2004013967.tif 000011